(57)【要約】【課題】子機の二次電池の残量が不足している場合に、迅速に子機を動作可能にする技術を提供する。【解決手段】第１二次電池を有する入力装置に接続されることができる通信装置であって、通信装置に入力装置が接続される場合に第１二次電池に接続される接続部と、入力装置との第１通信を行う第１通信部と、第１通信により受信される情報に基づいて外部装置との第２通信を行う第２通信部と、第２通信のための電力を供給する第２二次電池と、電源に接続されることができる電源接続部と、第２二次電池及び接続部のいずれかを電源接続部に接続することができるスイッチと、通信装置に入力装置が接続され且つ電源接続部に電源が接続された場合、第１通信に基づいて入力装置の所定動作が可能であるか否かを判定し、判定の結果に基づいてスイッチを制御する制御部とを備える通信装置である。【選択図】図１
2011216960.tif 000002
【特許請求の範囲】
【請求項１】
入力を検出する入力装置であって第１二次電池を有する前記入力装置に、接続されることができる通信装置であって、
前記通信装置に前記入力装置が接続される場合に前記第１二次電池に接続される接続部と、
前記入力装置との第１通信を行う第１通信部と、
前記第１通信により受信される情報に基づいて外部装置との第２通信を行う第２通信部と、
前記第２通信のための電力を供給する第２二次電池と、
前記第１二次電池又は前記第２二次電池を充電するための電源に接続されることができる電源接続部と、
前記第２二次電池及び前記接続部のいずれかを前記電源接続部に接続することができるスイッチと、
前記通信装置に前記入力装置が接続され且つ前記電源接続部に前記電源が接続された場合、前記第１通信に基づいて前記入力装置の所定動作が可能であるか否かを判定し、前記判定の結果に基づいて前記スイッチを制御する制御部と、
を備える通信装置。
【請求項２】
前記所定動作が不可能であると判定された場合、前記制御部は、前記スイッチによって前記電源接続部と前記接続部を接続させることにより前記電源による前記第１二次電池の充電を行う
請求項１に記載の通信装置。
【請求項３】
更に、
前記第２二次電池の充電レベルを測定する充電レベル測定部を備え、
前記所定動作が可能であると判定された場合、前記制御部は、ユーザからの入力が所定の入力条件を満たすか否かの判定を行い、前記ユーザからの入力が前記入力条件を満たすと判定された場合、前記スイッチによって前記電源接続部と前記第１二次電池を接続させることにより前記第１二次電池の充電を行い、前記ユーザからの入力が前記入力条件を満たさない場合、前記スイッチによって前記電源接続部と前記第２二次電池を接続させることにより前記電源による前記第２二次電池の充電を行う
請求項２に記載の通信装置。
【請求項４】
更に、
前記制御部からの情報を表示する表示部を備え、
前記所定動作が可能であると判定された場合、前記制御部は、前記ユーザからの入力を促す入力画面を前記表示部に表示させ、
前記入力条件は、前記入力画面の表示から所定時間内に前記ユーザからの入力が検出され且つ前記ユーザからの入力が前記第１二次電池を示すことである
請求項３に記載の通信装置。
【請求項５】
前記制御部は、前記通信装置に前記入力装置が接続され且つ前記電源接続部に前記電源が接続された場合、前記スイッチによって前記電源接続部と前記第２二次電池を接続させることにより前記電源による前記第２二次電池の充電を行い、前記第２二次電池の充電レベルが前記第１しきい値より低い第３しきい値より高いか否かの判定を行い、前記第２二次電池の充電レベルが前記第３しきい値より高いと判定された場合、前記スイッチにより前記電源接続部と前記第２二次電池を切断させることにより前記第２二次電池の充電を停止する、
請求項３に記載の通信装置。
【請求項６】
互いに接続されることができる第１筐体と第２筐体を有する通信装置であって、
前記第１筐体が、
前記第１筐体と前記第２筐体が接続される場合に前記第２筐体に接続される第１接続部と、
入力を検出する検出部と、
前記第２筐体との第１通信を行うことにより、前記検出された入力を前記第２筐体へ送信する筐体間通信部と、
前記第１通信のための電力を供給する第１二次電池と
を備え、
前記第２筐体が、
前記第１筐体と第２筐体が接続される場合に前記第１接続部を介して前記第１二次電池に接続される第２接続部と、
前記第１筐体との前記第１通信を行う第１通信部と、
前記第１通信により受信される情報に基づいて外部装置との第２通信を行う第２通信部と、
前記第２通信のための電力を供給する第２二次電池と、
前記第１二次電池又は前記第２二次電池を充電するための電源に接続されることができる電源接続部と、
前記第２二次電池及び前記第２接続部のいずれかを前記電源接続部に接続することができるスイッチと、
前記第１筐体と第２筐体が接続され且つ前記電源接続部に前記電源が接続された場合、前記第１通信に基づいて前記第１通信に基づいて前記第１筐体の所定動作が可能であるか否かを判定し、前記判定の結果に基づいて前記スイッチを制御する制御部と
を備える通信装置。
【発明の詳細な説明】
【技術分野】
【０００１】
本発明は、入力装置と接続されることができる通信装置に関する。
【背景技術】
【０００２】
互いに接続されることができる通信装置と入力装置の一例として、分離型携帯電話機における親機と子機が知られている。親機は、基地局との通信を行う。子機は、ユーザにより操作されるキーボードを有する。また、親機と子機はそれぞれ二次電池を有する。これにより親機と子機は、互いに接続された場合でも互いに分離された場合でもそれぞれ動作することができる。
【０００３】
関連する技術として、複数の直列接続された蓄電池の充電状態を平衡化する技術が知られている（例えば特許文献１）。
【先行技術文献】
【特許文献】
【０００４】
【特許文献１】特許４３４３１７３号公報
【発明の概要】
【発明が解決しようとする課題】
【０００５】
上述のような分離型携帯電話機において、携帯電話機の基本機能である通信機能を優先しようとした場合、通信機能を有する親機を優先的に充電することが考えられる。例えば、親機と子機の双方ともに電池残量が少なくなったときに、まず親機の充電を開始し、親機の充電が完了した後に子機の充電を開始することが考えられる。この場合、親機の充電が完了するまでは子機の充電は行われないため、ユーザは子機を用いた分離型携帯電話機の操作を行うことができない。例えば、親機がタッチパネルを備え、子機がキーボードを備えるような分離型携帯電話機の場合にこのような状態となると、子機の備える入力効率の良いキーボードによる入力ができず、親機の備えるタッチパネルによる入力を行わざるをえない。
【０００６】
本発明は上述した問題点を解決するためになされたものであり、子機の二次電池の残量が不足している場合に、迅速に子機を動作可能にする技術を提供することを目的とする。
【課題を解決するための手段】
【０００７】
上述した課題を解決するため、本発明の一態様は、入力を検出する入力装置であって第１二次電池を有する前記入力装置に、接続されることができる通信装置であって、前記通信装置に前記入力装置が接続される場合に前記第１二次電池に接続される接続部と、前記入力装置との第１通信を行う第１通信部と、前記第１通信により受信される情報に基づいて外部装置との第２通信を行う第２通信部と、前記第２通信のための電力を供給する第２二次電池と、前記第１二次電池又は前記第２二次電池へ電力を供給することができる電源に接続されることができる電源接続部と、前記第２二次電池及び前記接続部のいずれかを前記電源接続部に接続することができるスイッチと、前記通信装置に前記入力装置が接続され且つ前記電源接続部に前記電源が接続された場合、前記第１通信に基づいて前記入力装置の所定動作が可能であるか否かを判定し、前記判定の結果に基づいて前記スイッチを制御する制御部とを備える通信装置である。
【０００８】
また、本発明の別の一態様は、互いに接続されることができる第１筐体と第２筐体を有する通信装置であって、前記第１筐体が、前記第１筐体と前記第２筐体が接続される場合に前記第２筐体に接続される第１接続部と、入力を検出する検出部と、前記第２筐体との第１通信を行うことにより、前記検出された入力を前記第２筐体へ送信する筐体間通信部と、前記第１通信のための電力を供給する第１二次電池とを備え、前記第２筐体が、前記第１筐体と第２筐体が接続される場合に前記第１接続部を介して前記第１二次電池に接続される第２接続部と、前記第１筐体との前記第１通信を行う第１通信部と、前記第１通信により受信される情報に基づいて外部装置との第２通信を行う第２通信部と、前記第２通信のための電力を供給する第２二次電池と、前記第１二次電池又は前記第２二次電池を充電するための電源に接続されることができる電源接続部と、前記第２二次電池及び前記第２接続部のいずれかを前記電源接続部に接続することができるスイッチと、前記第１筐体と第２筐体が接続され且つ前記電源接続部に前記電源が接続された場合、前記第１通信に基づいて前記第１通信に基づいて前記第１筐体の所定動作が可能であるか否かを判定し、前記判定の結果に基づいて前記スイッチを制御する制御部とを備える通信装置である。
【発明の効果】
【０００９】
この出願に開示された技術によれば、子機の二次電池の残量が不足している場合に、迅速に子機を動作可能にすることができる。
【図面の簡単な説明】
【００１０】
【図１】分離型携帯電話機の構成を示すブロック図である。
【図２】実施形態１の親機によるケースＡの充電処理を示すフローチャートである。
【図３】実施形態１の子機によるケースＡの充電処理を示すフローチャートである。
【図４】充電優先度選択メニューの画面を示す図である。
【図５】実施形態１の親機優先モードの処理を示すフローチャートである。
【図６】実施形態１の子機優先モードの処理を示すフローチャートである。
【図７】実施形態１の親機優先モードが選択された場合の親機充電レベルと子機充電レベルの時間変化を示すグラフである。
【図８】実施形態１の子機優先モードが選択された場合の親機充電レベルと子機充電レベルの時間変化を示すグラフである。
【図９】実施形態２の親機によるケースＡの充電処理を示すフローチャートである。
【発明を実施するための形態】
【００１１】
以下、本発明の実施形態について図面を参照しつつ説明する。
【００１２】
＜実施形態１＞
まず、本発明の適用例である分離型携帯電話機の構成について説明する。
【００１３】
図１は、分離型携帯電話機の構成を示すブロック図である。この図に示された分離型携帯電話機１ａは、二つの筐体を有する。それら二つの筐体はそれぞれ親機１１ａ及び子機１２である。この図において、ブロック間を結ぶ実線は電力を伝達する電力線を示し、ブロック間を結ぶ点線は制御信号や通信信号などの信号を伝達する信号線を示す。
【００１４】
親機１１ａは、制御部１５ａと記憶部１７ａと有線通信部２３ｘと近距離無線通信部２４ｘと公衆無線通信部３１と表示部３２と二次電池４１ｘと充放電制御部４２ｘと切り替えスイッチ（ＳＥＬ：selector）５１ｘと開閉スイッチ（ＳＷ：switch）５２ｘ，５３ｘと電源接続部６１と接続部６２ｘと音声入出力部７１ｘとを有する。接続部６２ｘは電源端子６３ｘと有線通信端子６４ｘと接合検出端子６５ｘとを有する。子機１２は、制御部１６と記憶部１８と有線通信部２３ｙと近距離無線通信部２４ｙと入力検出部３３と二次電池４１ｙと充放電制御部４２ｙと接続部６２ｙと音声入出力部７１ｙとを有する。接続部６２ｙは電源端子６３ｙと有線通信端子６４ｙと接合検出端子６５ｙを有する。
【００１５】
制御部１５ａ，１６は例えば、ＣＰＵ（Central Processing Unit）である。記憶部１７ａ，１８は例えば、半導体メモリである。制御部１５ａがＣＰＵである場合、そのＣＰＵが記憶部１７ａに格納された親機制御プログラムを実行することにより、制御部１５ａの機能を実現する。制御部１６がＣＰＵである場合、そのＣＰＵが記憶部１８に格納された子機制御プログラムを実行することにより、制御部１６の機能を実現する。
【００１６】
親機１１ａと子機１２は接続されることができる。接続部６２ｘと接続部６２ｙとが接続されることにより、親機１１ａと子機１２は接合される。以後、この状態を接合状態と記すことにする。この接合状態において、電源端子６３ｘと電源端子６３ｙが接続され、有線通信端子６４ｘと有線通信端子６４ｙが接続され、接合検出端子６５ｘと接合検出端子６５ｙが接続される。親機１１ａと子機１２が接合されると、制御部１５ａ，１６は接合検出端子６５ｘと接合検出端子６５ｙの間の通電により、親機１１ａと子機１２が接合状態になったことを認識する。一方、接続部６２ｘと接続部６２ｙとが切断されることにより、親機１１ａと子機１２は分離される。以後、この状態を非接合状態と記すことにする。親機１１ａと子機１２が分離されると、制御部１５ａ，１６は接合検出端子６５ｘと接合検出端子６５ｙの間の通電の停止により、親機１１ａと子機１２が非接合状態になったことを認識する。
【００１７】
ここで、制御部１５ａによる接合状態と非接合状態を認識する方法の例について説明する。接合状態においては接合検出端子６５ｘから接合検出端子６５ｙへ電流が流れる。制御部１５ａは、接合検出端子６５ｘの通電を検出することにより接合状態を認識し、接合検出端子６５ｘの通電の停止を検出することにより非接合状態を認識する。同様に、制御部１６は、接合検出端子６５ｙの通電を検出することにより接合状態を認識し、接合検出端子６５ｙの通電の停止を検出することにより非接合状態を認識する。
【００１８】
接合状態において、有線通信部２３ｘ，２３ｙは、筐体間の有線通信である筐体間有線通信を行う。このとき、有線通信部２３ｘは制御部１５ａからのメッセージを有線通信端子６４ｘ，６４ｙを介して有線通信部２３ｙへ送り、有線通信部２３ｙは受信したメッセージを制御部１６へ送る。同様に接合状態において、有線通信部２３ｙは制御部１６からのメッセージを有線通信端子６４ｙ，６４ｘを介して有線通信部２３ｘへ送り、有線通信部２３ｘは受信したメッセージを制御部１５ａへ送る。制御部１５ａ，１６は、筐体間有線通信により送信されたメッセージに対し、所定の待機時間内に正常な応答を受信した場合、筐体間有線通信が正常である通信正常状態と判断する。一方、制御部１５ａ，１６は筐体間有線通信において、送信されたメッセージに対し、所定の待機時間内に正常な応答を受信しなかった場合、筐体間有線通信が異常である通信異常状態と判断する。有線通信部２３ｘ，有線通信部２３ｙは例えば、ＵＡＲＴ（Universal Asynchronous Receiver Transmitter）である。
【００１９】
非接合状態において、近距離無線通信部２４ｘ，２４ｙは、筐体間の近距離の無線通信である筐体間無線通信を行う。このとき、メッセージの送信の指示を制御部１５ａから受けた近距離無線通信部２４ｘは、そのメッセージを筐体間無線通信により近距離無線通信部２４ｙへ送る。メッセージを近距離無線通信部２４ｘから受信した近距離無線通信部２４ｙは、そのメッセージを制御部１６へ送る。同様に非接合状態において、メッセージの送信の指示を制御部１６から受けた近距離無線通信部２４ｙは、そのメッセージを筐体間無線通信により近距離無線通信部２４ｘへ送る。メッセージを近距離無線通信部２４ｙから受信した近距離無線通信部２４ｘは、そのメッセージを制御部１５ａへ送る。制御部１５ａ，１６は筐体間無線通信において、送信されたメッセージに対し、所定の待機時間内に正常な応答を受信し、近距離無線通信部２４ｘ，２４ｙの間のリンクが確立された場合、筐体間無線通信が正常である通信正常状態と判断する。一方、制御部１５ａ，１６は、筐体間無線通信により送信されたメッセージに対し、所定の待機時間内に正常な応答を受信せず、近距離無線通信部２４ｘ，２４ｙの間のリンクが確立されなかった場合、筐体間無線通信が異常である通信異常状態と判断する。近距離無線通信部２４ｘ，２４ｙによる筐体間無線通信は例えば、Bluetooth（登録商標）である。
【００２０】
充放電制御部４２ｘは、二次電池４１ｘの両端の間の電圧を測定することにより、その電圧に基づいて二次電池４１ｘの充電状態を示す親機充電レベルを測定する。二次電池４１ｘの充電状態は例えば、二次電池４１ｘの両端の間の電圧や、その電圧から算出される二次電池４１ｘのＳＯＣ（state of charge）である。充放電制御部４２ｘは放電時、二次電池４１ｘの電力を親機１１ａの各部へ供給する。充放電制御部４２ｘは充電時、切り替えスイッチ５１ｘからの電力を用いて二次電池４１ｘを充電する。充放電制御部４２ｙは、二次電池４１ｙの両端の間の電圧を測定することにより、その電圧に基づいて二次電池４１ｙの充電状態を示す子機充電レベルを測定する。二次電池４１ｙの充電状態は例えば、二次電池４１ｙの両端の間の電圧や、その電圧から算出される二次電池４１ｙのＳＯＣである。充放電制御部４２ｙは、二次電池４１ｙの電力を子機１２の各部へ供給する。充放電制御部４２ｙは充電時、電源端子６３ｘからの電力を用いて二次電池４１ｙを充電する。
【００２１】
電源接続部６１は充電用電源１３へ接続されることができる。充電用電源１３は例えば、商用電源から供給される電力を変換して電源接続部６１へ供給するＡＣ−ＤＣコンバータ、ＵＳＢ（Universal Serial Bus）等のインターフェイスにより電力を電源接続部６１へ供給するコンピュータ、二次電池４１ｘ，４１ｙより容量の大きい電池などである。ここで、充電用電源１３は、二次電池４１ｘ，４１ｙのいずれか一方へ所定の充電電力を供給する能力を持つ。しかし、充電用電源１３は、その充電電力を二次電池４１ｘ，４１ｙの両方へ同時に供給する能力を持たない。
【００２２】
充電用電源１３が電源接続部６１へ接続されて親機１１ａへ電力を供給できる状態は、電源接続状態と呼ばれる。電源接続部６１が充電用電源１３へ接続されると、充放電制御部４２ｘは電源接続部６１と充電用電源１３が通電していることを検知する。この検知結果を受けた制御部１５ａは、電源接続状態になったことを認識する。一方、充電用電源１３が電源接続部６１から切断されて親機１１ａへ電力を供給できない状態は、電源切断状態と呼ばれる。電源接続部６１が充電用電源１３から切断されると、充放電制御部４２ｘは電源接続部６１と充電用電源１３が通電していないことを検知する。この検知結果を受けた制御部１５ａは、電源切断状態になったことを認識する。
【００２３】
切り替えスイッチ５１ｘは制御部１５ａからの指示に基づいて、二次電池４１ｘ及び開閉スイッチ５２ｘのいずれかと電源接続部６１とを接続する。開閉スイッチ５２ｘは制御部１５ａからの指示に基づいて、切り替えスイッチ５１ｘと電源端子６３ｘとを接続又は切断する。開閉スイッチ５３ｘは制御部１５ａからの指示に基づいて、二次電池４１ｘと電源端子６３ｘとを接続又は切断する。なお、子機１２が切り替えスイッチや開閉スイッチを有しても良い。この場合、制御部１５ａ又は制御部１６は、子機１２の切り替えスイッチや開閉スイッチを制御する。
【００２４】
入力検出部３３は例えばキーボードである。入力検出部３３は分離型携帯電話機１ａのユーザにより操作され、その操作により入力される入力情報を検出する。制御部１６は、その入力情報を取得し、接合状態では筐体間有線通信を介して、非接合状態では筐体間無線通信を介して、制御部１５ａへ送る。制御部１５ａは、受信された入力情報に基づいて各部の制御を行う。
【００２５】
公衆無線通信部３１は制御部１５ａからの指示に基づいて、外部の基地局からのメッセージを受信すると共に、基地局へのメッセージを送信することにより、公衆網に接続する公衆無線通信を行う。公衆無線通信の送信電力は、筐体間無線通信の送信電力より大きい。これにより、公衆無線通信の最大通信距離は、筐体間無線通信の最大通信距離より長い。
【００２６】
公衆無線通信部３１が音声情報を送受信する場合、音声入出力部７１ｘ又は音声入出力部７１ｙが用いられる。音声入出力部７１ｘ，７１ｙのそれぞれは、マイクとスピーカを有する。音声情報の受信時、音声入出力部７１ｘ，７１ｙは音声情報を音声に変換してスピーカから出力する。音声情報の送信時、音声入出力部７１ｘ，７１ｙはマイクから入力される音声を音声情報に変換する。音声入出力部７１ｘは、公衆無線通信部３１により受信された音声情報を取得し、送信するための音声情報を公衆無線通信部３１へ提供する。音声入出力部７１ｙは、公衆無線通信部３１により受信された音声情報を筐体間有線通信又は筐体間無線通信を介して親機１１ａから取得し、送信するための音声情報を筐体間有線通信又は筐体間無線通信を介して親機１１ａへ提供する。
【００２７】
表示部３２は、公衆無線通信により受信された情報や筐体間有線通信又は筐体間無線通信により受信された情報や制御部１５ａによる処理の結果などを表示する。表示部３２は例えば、ＬＣＤ（Liquid Crystal Display）である。なお、表示部３２は表示機能に加えて、ユーザにより操作されるタッチパネル等の入力検出機能を有し、その操作により入力される入力情報を検出しても良い。
【００２８】
次に、親機充電レベルと子機充電レベルについて説明する。
【００２９】
親機充電レベルのしきい値として、親機満充電しきい値と親機供給可能しきい値が予め設定される。親機充電レベルが親機満充電しきい値以上である場合、制御部１５ａは親機１１ａが満充電であると判断する。親機充電レベルが親機供給可能しきい値以上である場合、制御部１５ａは親機１１ａから子機１２へ電力を供給できると判断する。ここで、親機満充電しきい値は親機供給可能しきい値より高い。
【００３０】
一方、子機充電レベルのしきい値として、子機満充電しきい値と子機動作可能しきい値が予め設定される。子機充電レベルが子機満充電しきい値以上である場合、制御部１５ａは子機１２が満充電であると判断する。子機充電レベルが子機動作可能しきい値以上である場合、制御部１５ａは、子機充電レベルが子機１２の動作に十分であり、その動作が可能であると判断する。子機充電レベルが子機動作可能しきい値未満である場合、制御部１５ａは、子機充電レベルが子機１２の動作に不足しており、その動作が不可能であると判断する。ここで、子機満充電しきい値は子機動作可能しきい値より高い。子機充電レベルが子機動作可能しきい値以上になることにより可能となる子機１２の動作は例えば、入力検出部３３による入力情報の検出や検出された入力情報を親機１１ａへ送信する筐体間有線通信である。
【００３１】
次に、分離型携帯電話機１ａによる二次電池４１ｘ，４１ｙの充電処理について説明する。
【００３２】
以下、分離型携帯電話機１ａが電源接続状態且つ接合状態であるケースＡの充電処理について説明する。
【００３３】
図２は、ケースＡの親機によるケースＡの充電処理を示すフローチャートであり、図３は、ケースＡの子機によるケースＡの充電処理を示すフローチャートである。図２は親機１１ａの制御部１５ａの動作を示す。図３は子機１２の制御部１６の動作を示す。制御部１５ａは、ケースＡになったことを認識すると、図２のフローを開始させる。制御部１６は、電源接続状態且つ接合状態になったことを認識すると、図３のフローを開始させる。
【００３４】
まず親機１１ａにおいて制御部１５ａは、筐体間有線通信が通信正常状態であるか否かを判定する（Ｓ２１）。ここで、制御部１５ａは、筐体間有線通信が通信正常状態と判定された場合に子機１２が動作可能であると認識し、筐体間有線通信が通信異常状態と判定された場合に子機１２が動作不可能であると認識する。
【００３５】
筐体間有線通信が通信正常状態と判定された場合（Ｓ２１，Ｙ）、制御部１５ａは、このフローをＳ４２へ移行させる。筐体間有線通信が通信異常状態と判定された場合（Ｓ２１，Ｎ）、制御部１５ａは、充電用電源１３と二次電池４１ｙを接続することにより子機１２の二次電池４１ｙの充電を開始する（Ｓ２３）。
【００３６】
そのために制御部１５ａは、切り替えスイッチ５１ｘに電源接続部６１と開閉スイッチ５２ｘの間を接続させ、開閉スイッチ５２ｘに電源接続部６１と電源端子６３ｘの間を接続させ、開閉スイッチ５３ｘに二次電池４１ｘと電源端子６３ｘの間を切断させる。これにより充電用電源１３は、切り替えスイッチ５１ｘ、開閉スイッチ５２ｘ、電源端子６３ｘ、電源端子６３ｙを介して二次電池４１ｙに接続され、前述の充電電力を二次電池４１ｙへ供給する。このとき、充電用電源１３と二次電池４１ｘの間、二次電池４１ｘと二次電池４１ｙの間はそれぞれ切断されている。
【００３７】
一方、子機１２において制御部１６は、充放電制御部４２ｙにより測定される子機充電レベルが子機動作可能しきい値以上になったか否かを判定する（Ｓ３４）。子機充電レベルが子機動作可能しきい値未満であると判定された場合（Ｓ３４，Ｎ）、制御部１６はこのフローをＳ３４へ戻す。子機充電レベルが子機動作可能しきい値以上になったと判定された場合（Ｓ３４，Ｙ）、制御部１６は接合状態であることを認識し、筐体間有線通信を開始する（Ｓ３５）。ここで、Ｓ２３からＳ３５までの時間は例えば、数秒〜数十秒である。
【００３８】
一方、親機１１ａにおいて制御部１５ａは、筐体間有線通信が通信正常状態であるか否かを判定する（Ｓ４１）。
【００３９】
筐体間有線通信が通信異常状態であると判定された場合（Ｓ４１，Ｎ）、制御部１５ａはこのフローをＳ４１へ戻す。Ｓ４１において筐体間有線通信が通信正常状態であると判定された場合（Ｓ４１，Ｙ）、及びＳ２１において筐体間有線通信が通信正常状態であると判定された場合（Ｓ２１，Ｙ）、制御部１５ａは充電優先度選択メニューを表示部３２に表示させる（Ｓ４２）。
【００４０】
図４は、充電優先度選択メニューの画面を示す図である。充電優先度選択メニューは、ユーザへの指示を表示する指示表示部１１１と、親機１１ａを優先して充電する親機優先モードをユーザが選択するための親機選択ボタン１１２と、子機１２を優先して充電する子機優先モードをユーザが選択するための子機選択ボタン１１３とカーソル１１４を有する。ここで、親機１１ａは、表示部３２による表示機能を有するため、ユーザの便宜のためにディスプレイユニットと呼ばれている。子機１２は、入力検出部３３によるキー入力機能を有するため、ユーザの便宜のためにキーユニットと呼ばれている。
【００４１】
指示表示部１１１はユーザに入力を促すために、例えば「どちらから充電しますか？」、「ディスプレイユニットの電池残量が少ない場合はディスプレイユニットを選択ください」のようなメッセージを表示する。親機選択ボタン１１２は親機１１ａを示す「ディスプレイユニット」を表示する。子機選択ボタン１１３は子機１２を示す「キーユニット」を表示する。ユーザは所定の入力待機時間内に親機選択ボタン１１２と子機選択ボタン１１３のいずれかを押すか、入力待機時間の経過まで何も入力しない。この例の充電優先度選択メニューのデフォルト状態において、カーソル１１４はディスプレイユニットを指す。
【００４２】
制御部１５ａは、充電優先度選択メニューに対する選択トリガが発生したか否かの判断を行う（Ｓ４３）。ここで、選択トリガは例えば、制御部１５ａが筐体間有線通信を介して入力検出部３３からの入力情報を取得した場合と、入力待機時間が経過した場合である。表示部３２が入力検出機能を有する場合、制御部１５ａは表示部３２から入力情報を取得しても良い。選択トリガが発生していないと判定された場合（Ｓ４３，Ｎ）、制御部１５ａはこのフローをＳ４３へ戻す。選択トリガが発生したと判定された場合（Ｓ４３，Ｙ）、制御部１５ａは子機１２を示す入力情報が取得されたか否かの判断を行う（Ｓ４４）。
【００４３】
Ｓ４４において子機１２を示す入力情報が取得されていないと判定された場合（Ｓ４４，Ｎ）、制御部１５ａは親機優先モードが選択されたと認識して親機優先モードの処理を行い（Ｓ５１）、このフローを終了させる。Ｓ４４において子機１２を示す入力情報が取得されたと判定された場合（Ｓ４４，Ｙ）、制御部１５ａは子機優先モードが選択されたと認識して子機優先モードの処理を行い（Ｓ６１）、このフローを終了させる。
【００４４】
以下、親機優先モードの処理と子機優先モードの処理について説明する。
【００４５】
まず、親機優先モードの処理について説明する。図５は、親機優先モードの処理を示すフローチャートである。制御部１５ａは親機優先モードの処理を開始すると、充電用電源１３と二次電池４１ｙを切断することにより二次電池４１ｙの充電を停止する（Ｓ１１５）。
【００４６】
そのために制御部１５ａは、切り替えスイッチ５１ｘに電源接続部６１と開閉スイッチ５２ｘの間を接続させ、開閉スイッチ５２ｘに電源接続部６１と電源端子６３ｘの間を切断させ、開閉スイッチ５３ｘに二次電池４１ｘと電源端子６３ｘの間を切断させる。これにより、充電用電源１３と二次電池４１ｘの間、充電用電源１３と二次電池４１ｙの間、二次電池４１ｘと二次電池４１ｙの間はそれぞれ切断されている。
【００４７】
次に制御部１５ａは充電用電源１３と二次電池４１ｘを接続することにより親機１１ａの二次電池４１ｘの充電を開始する（Ｓ１２３）。このとき、制御部１５ａは前述のケースＡの充電処理と同様に、充電用電源１３から供給される電力を、切り替えスイッチ５１ｘを介して二次電池４１ｘへ導く。次に制御部１５ａは、充放電制御部４２ｘにより測定される親機充電レベルが親機満充電しきい値以上になったか否かを判定する（Ｓ１２４）。親機充電レベルが親機満充電しきい値未満であると判定された場合（Ｓ１２４，Ｎ）、制御部１５ａはこのフローをＳ１２４へ戻す。親機充電レベルが親機満充電しきい値以上になったと判定された場合（Ｓ１２４，Ｙ）、制御部１５ａは充電用電源１３と二次電池４１ｘを切断することにより二次電池４１ｘの充電を停止する（Ｓ１２５）。そのために制御部１５ａは前述のＳ１１５と同様にして、充電用電源１３と二次電池４１ｘの間を切断する。次に制御部１５ａは、前述のＳ２３と同様にして子機１２の二次電池４１ｙの充電を開始する（Ｓ１３３）。
【００４８】
一方、子機１２において制御部１６は、充放電制御部４２ｙにより測定される子機充電レベルが子機満充電しきい値以上になったか否かを判定する（Ｓ７４）。子機充電レベルが子機満充電しきい値未満であると判定された場合（Ｓ７４，Ｎ）、制御部１６はこのフローをＳ７４へ戻す。子機充電レベルが子機満充電しきい値以上になったと判定された場合（Ｓ７４，Ｙ）、制御部１６は筐体間有線通信を介して制御部１５ａへ子機１２の満充電の通知を送信する（Ｓ７５）。
【００４９】
一方、親機１１ａにおいて制御部１５ａは、筐体間有線通信を介して満充電の通知を受信したか否かを判定する（Ｓ１３４）。満充電の通知を受信していないと判定された場合（Ｓ１３４，Ｎ）、制御部１５ａはこのフローをＳ１３４へ戻す。満充電の通知を受信したと判定された場合（Ｓ１３４，Ｙ）、制御部１５ａは前述のＳ１１５と同様にして二次電池４１ｙの充電を停止し（Ｓ１３５）、このフローを終了させる。
【００５０】
この親機優先モードが選択されることにより、まず親機１１ａの二次電池４１ｘが満充電になり、次に子機１２の二次電池４１ｙが満充電になる。
【００５１】
次に、子機優先モードの処理について説明する。図６は、子機優先モードの処理を示すフローチャートである。親機１１ａにおいて制御部１５ａが子機優先モードの処理を開始する時、子機１２において制御部１６は前述のＳ７４〜Ｓ７５を行っている。
【００５２】
まず親機１１ａにおいて制御部１５ａは、前述のＳ１３４と同様にして筐体間有線通信を介して満充電の通知を受信したか否かを判定する（Ｓ１４４）。満充電の通知を受信していないと判定された場合（Ｓ１４４，Ｎ）、制御部１５ａはこのフローをＳ１４４へ戻す。満充電の通知を受信したと判定された場合（Ｓ１４４，Ｙ）、制御部１５ａは前述のＳ１３５と同様にして二次電池４１ｘの充電を停止する（Ｓ１４５）。次に制御部１５ａは、前述のＳ１２３と同様にして親機１１ａの二次電池４１ｘの充電を開始する（Ｓ１５３）。次に制御部１５ａは、前述のＳ１２４と同様にして充放電制御部４２ｘにより測定される親機充電レベルが親機満充電しきい値以上になったか否かを判定する（Ｓ１５４）。親機充電レベルが親機満充電しきい値未満であると判定された場合（Ｓ１５４，Ｎ）、制御部１５ａはこのフローをＳ１５４へ戻す。親機充電レベルが親機満充電しきい値以上になったと判定された場合（Ｓ１５４，Ｙ）、制御部１５ａは、前述のＳ１２５と同様にして二次電池４１ｘの充電を停止し（Ｓ１５５）、このフローを終了させる。
【００５３】
この子機優先モードが選択されることにより、まず子機１２の二次電池４１ｙが満充電になり、次に親機１１ａの二次電池４１ｘが満充電になる。
【００５４】
なおＳ２１において制御部１５ａが開閉スイッチ５３ｘを制御することにより、充放電制御部４２ｘと二次電池４１ｙを開閉スイッチ５３ｘと電源端子６３ｘと電源端子６３ｙを介して接続し、充放電制御部４２ｘが子機充電レベルを測定しても良い。この場合、制御部１５ａは充放電制御部４２ｘにより測定された子機充電レベルが子機動作可能しきい値未満であるか否かを判定し、その子機充電レベルが子機動作可能しきい値未満である場合に子機１２が動作不可能であると判定する。あるいはＳ２１において、制御部１５ａは筐体間無線通信が通信正常状態であるか否かの判定を行っても良い。この場合、制御部１５ａは筐体間有線通信が通信異常状態である場合に子機１２が動作不可能であると判定する。
【００５５】
次に、このケースＡの充電処理による、親機充電レベルと子機充電レベルの時間変化について説明する。
【００５６】
以下の例において、親機充電レベルは二次電池４１ｘの両端の間の電圧であり、子機充電レベルは二次電池４１ｙの両端の間の電圧である。また以下の例は、ケースＡで、親機充電レベルが親機動作可能しきい値より低い０Ｖ付近であり、子機充電レベルが子機動作可能しきい値より低い０Ｖ付近である状態からの充電処理を示す。
【００５７】
図７は、実施形態１の親機優先モードが選択された場合の親機充電レベルと子機充電レベルの時間変化を示すグラフである。この図の上段において、横軸は時間を示し、縦軸は親機充電レベルを示す。この図の下段において、横軸は時間を示し、縦軸は子機充電レベルを示す。更に横軸上に期間Ｔａ，Ｔｂ，Ｔｃを示す。この例は、充電優先度選択メニューにより親機優先モードが選択された場合である。
【００５８】
まずＴａは、ケースＡの充電処理のＳ２３〜Ｓ４２が行われる期間を示す。この処理により、子機充電レベルは時間経過と共に０Ｖ付近から子機動作可能しきい値まで増加する。ここで、子機１２が動作可能となる。次にＴｂは、親機優先モードの処理のＳ１２３〜Ｓ１２５が行われる期間を示す。この処理により、親機充電レベルは時間経過と共に０Ｖ付近から親機満充電しきい値まで増加する。ここで、親機１１ａが満充電となる。次にＴｃは、子機優先モードの処理のＳ１３３〜Ｓ１３５が行われる期間を示す。この処理により、子機充電レベルは時間経過と共に子機動作可能しきい値付近から子機満充電しきい値まで増加する。ここで、子機１２が満充電となる。
【００５９】
図８は、実施形態１の子機優先モードが選択された場合の親機充電レベルと子機充電レベルの時間変化を示すグラフである。この図の上段において、横軸は時間を示し、縦軸は親機充電レベルを示す。この図の下段において、横軸は時間を示し、縦軸は子機充電レベルを示す。更に横軸上に期間Ｔａ，Ｔｄ，Ｔｅを示す。この例は、充電優先度選択メニューにより子機優先モードが選択された場合である。
【００６０】
まずＴａは、前述のケースＡの充電処理のＳ２３〜Ｓ４２が行われる期間を示す。この処理により、子機充電レベルは時間経過と共に０Ｖ付近から子機動作可能しきい値まで増加する。ここで、子機１２が動作可能となる。次にＴｄは、子機優先モードの処理のＳ１４４〜Ｓ１４５が行われる期間を示す。この処理により、子機充電レベルは時間経過と共に子機動作可能しきい値付近から子機満充電しきい値まで増加する。ここで、子機１２が満充電となる。次にＴｅは、親機優先モードの処理のＳ１５３〜Ｓ１５５が行われる期間を示す。この処理により、親機充電レベルは時間経過と共に０Ｖ付近から親機満充電しきい値まで増加する。ここで、親機１１ａが満充電となる。
【００６１】
前述のようにＴａの時間は、Ｔｂ，Ｔｃ，Ｔｄ，Ｔｅのそれぞれの時間に比べて僅かである。従って、ケースＡの充電処理の開始から僅かな時間で、ユーザは入力検出部３３を用いた入力などを行うことができる。
【００６２】
次に、前述のケースＡ以外の充電処理について説明する。
【００６３】
ケースＡの充電処理の後の放電により、親機充電レベルが親機満充電しきい値未満になったケースＡａにおいて、制御部１５ａは充電用電源１３を用いて親機１１ａの二次電池４１ｘを充電する。そのために制御部１５ａは、切り替えスイッチ５１ｘに電源接続部６１と二次電池４１ｘの間を接続させ、開閉スイッチ５３ｘに二次電池４１ｘと電源端子６３ｘの間を切断させる。これにより充電用電源１３は、切り替えスイッチ５１ｘを介して二次電池４１ｘに接続され、前述の充電電力を二次電池４１ｘへ供給する。
【００６４】
ケースＡの充電処理の後の放電により、親機充電レベルが親機満充電しきい値以上、且つ子機充電レベルが子機満充電しきい値未満になったケースＡｂにおいて、制御部１５ａは充電用電源１３を用いて子機１２の二次電池４１ｙを充電する。そのために、制御部１５ａは前述のＳ２３と同様にして、充電用電源１３から供給される電力を、切り替えスイッチ５１ｘ、開閉スイッチ５２ｘ、電源端子６３ｘ、電源端子６３ｙを介して二次電池４１ｙへ導く。
【００６５】
ケースＡａ又はケースＡｂにおいて、親機充電レベルが親機満充電しきい値以上であり、且つ子機充電レベルが子機満充電しきい値以上になった場合、制御部１５ａは二次電池４１ｘ，４１ｙの充電を停止する。そのために制御部１５ａは前述のＳ１１５と同様にして、充電用電源１３及び二次電池４１ｘの間、充電用電源１３及び二次電池４１ｙの間、二次電池４１ｘの及び二次電池４１ｙの間をそれぞれ切断する。
【００６６】
電源接続状態、且つ非接合状態であり、且つ親機充電レベルが親機満充電しきい値未満であるケースＢにおいて、制御部１５ａは充電用電源１３を用いて親機１１ａの二次電池４１ｘを充電する。そのために制御部１５ａは、切り替えスイッチ５１ｘに電源接続部６１と二次電池４１ｘの間を接続させ、開閉スイッチ５３ｘに二次電池４１ｘと電源端子６３ｘの間を切断させる。これにより充電用電源１３は、切り替えスイッチ５１ｘを介して二次電池４１ｘに接続され、前述の充電電力を二次電池４１ｘへ供給する。
【００６７】
電源切断状態、且つ接合状態であり、且つ親機充電レベルが親機供給可能しきい値以上であり、且つ子機充電レベルが子機満充電しきい値未満であるケースＣにおいて、制御部１５ａは二次電池４１ｘを用いて二次電池４１ｙを充電する。そのために制御部１５ａは、開閉スイッチ５２ｘに電源接続部６１と電源端子６３ｘの間を切断させ、開閉スイッチ５３ｘに二次電池４１ｘと電源端子６３ｘの間を接続させる。これにより二次電池４１ｘは、開閉スイッチ５３ｘ、電源端子６３ｘ、電源端子６３ｙを介して二次電池４１ｙに接続される。
【００６８】
なお、電源接続状態において、制御部１５ａが二次電池４１ｘの充電と二次電池４１ｘの電力による親機１１ａの動作とを繰り返すことにより、親機１１ａは動作することができる。あるいは制御部１５ａが電源接続部６１からの電力による親機１１ａの動作を行うことにより、親機１１ａは動作することができる。
【００６９】
＜実施形態２＞
実施形態２の分離型携帯電話機の構成は、実施形態１の分離型携帯電話機と同様であるが、ケースＡにおける充電処理が異なる。
【００７０】
以下、実施形態２のケースＡの充電処理について説明する。
【００７１】
親機充電レベルのしきい値として、実施形態１に示されたしきい値に加えて親機動作可能しきい値が予め設定される。親機充電レベルが親機動作可能しきい値以上である場合、制御部１５ａは、親機充電レベルが親機１１ａの動作に十分で有り、その動作が可能であると判断する。親機充電レベルが親機動作可能しきい値未満である場合、制御部１５ａは、親機充電レベルが親機１１ａの動作に不足しており、その動作が不可能であると判断する。ここで、親機供給可能しきい値は親機動作可能しきい値より高い。親機充電レベルが親機動作可能しきい値以上になることにより可能となる親機１１ａの動作は例えば、公衆無線通信である。
【００７２】
図９は、実施形態２の親機によるケースＡの充電処理を示すフローチャートである。この図に示されたステップのうち、実施形態１のケースＡの充電処理に含まれたステップに相当するものは、実施形態１と同一の符号が付されている。制御部１５ａは、電源接続状態且つ接合状態になったことを認識すると、ケースＡの充電処理のフローを開始させる。実施形態２の親機によるケースＡの充電処理は、実施形態１と同様である。
【００７３】
まず親機１１ａにおいて制御部１５ａは、前述のＳ１２３と同様にして二次電池４１ｘの充電を開始する（Ｓ１３）。次に制御部１５ａは、前述のＳ１２４と同様にして充放電制御部４２ｘにより測定される親機充電レベルが親機動作可能しきい値以上になったか否かを判定する（Ｓ１４）。親機充電レベルが親機動作可能しきい値未満である場合（Ｓ１４，Ｎ）、制御部１５ａはこのフローをＳ１４へ戻す。親機充電レベルが親機動作可能しきい値以上になった場合（Ｓ１４，Ｙ）、制御部１５ａは、前述のＳ１２５と同様にして二次電池４１ｘの充電を停止し（Ｓ１５）、このフローをＳ２１へ移行させる。続くＳ２１〜Ｓ６１は実施形態１と同様である。
【００７４】
このケースＡの充電処理によれば、二次電池４１ｘ，４１ｙの残量の不足により親機１１ａと子機１２が共に動作不可能である場合に、まず親機充電レベルが親機動作可能しきい値になるまで二次電池４１ｘを充電することにより、親機１１ａのみの動作が可能になる。その後、子機充電レベルが子機動作可能しきい値になるまで二次電池４１ｙを充電することにより、迅速に親機１１ａと子機１２の両方の動作が可能になる。
【００７５】
以下、本発明の比較例を用いて前述の実施形態の効果について説明する。
【００７６】
比較例の分離型携帯電話機の構成は、前述の実施形態の分離型携帯電話機１ａと同様であるが、充電処理が異なる。ケースＡにおいて親機充電レベルが親機満充電しきい値未満である場合、比較例の制御部１５ａは充電用電源１３を用いて二次電池４１ｘを充電する。この場合、更に二次電池４１ｙの残量の不足により子機１２が動作不可能な状態であっても、比較例の制御部１５ａは親機充電レベルが親機満充電しきい値以上になるまで、充電用電源１３を用いて二次電池４１ｘを充電する。
【００７７】
この場合、親機充電レベルが親機満充電しきい値以上になった後に、比較例の制御部１５ａは充電用電源１３を用いて二次電池４１ｙを充電する。これにより、親機１１ａの充電中、子機１２は動作不可能のままとなる。子機１２が動作不可能である間、ユーザは入力検出部３３を用いて入力することができない。親機１１ａは公衆無線通信部３１による公衆無線通信や表示部３２による表示を行うことから、二次電池４１ｘの電気容量は、二次電池４１ｙの電気容量より大きい場合が多い。二次電池４１ｘ，４１ｙの両方が動作不可能である場合、二次電池４１ｘを満充電にするまでの充電時間は、二次電池４１ｙを満充電にするまでの充電時間より長い。この場合、二次電池４１ｘの長い充電時間の間、子機１２は動作不可能となる。
【００７８】
一方、実施形態１及び２におけるケースＡの充電処理によれば、親機充電レベルが親機満充電しきい値未満で子機充電レベルが子機動作可能しきい値未満であっても、迅速に子機１２が動作可能になる。
【００７９】
なお、本発明の通信装置は例えば、親機１１ａ又は分離型携帯電話機１ａである。入力装置は例えば、子機１２である。第１二次電池は例えば、二次電池４１ｙである。第２二次電池は例えば、二次電池４１ｘである。接続部は例えば、接続部６２ｘである。第１通信部は例えば、有線通信部２３ｘである。第２通信部は例えば、公衆無線通信部３１である。スイッチは例えば、切り替えスイッチ５１ｘと開閉スイッチ５２ｘ，５３ｘである。
【００８０】
また、充電レベル測定部は例えば、充放電制御部４２ｘである。表示部は例えば、表示部３２である。第１しきい値は例えば、親機満充電しきい値である。第２しきい値は例えば、子機満充電しきい値である。第３しきい値は例えば、親機満動作可能しきい値である。第４しきい値は例えば、子機動作可能しきい値である。
【００８１】
また、検出部は例えば、入力検出部３３である。筐体間通信部は例えば、有線通信部２３ｙである。第１接続部は例えば、接続部６２ｙである。第２接続部は例えば、接続部６２ｘである。
【００８２】
以下、本発明の変形例について説明する。
【００８３】
二次電池４１ｙの残量の不足による子機１２の動作不可能な状態を認識する方法として例えば、筐体間無線通信が通信異常状態である場合に制御部１５ａは子機１２が動作不可能であると認識しても良い。あるいは、接合状態において充放電制御部４２ｘが開閉スイッチ５３ｘと電源端子６３ｘと電源端子６３ｙを介して二次電池４１ｙに接続されることにより、充放電制御部４２ｘが子機充電レベルを測定しても良い。この場合、測定された子機充電レベルが子機動作可能レベル未満である場合に制御部１５ａは子機１２が動作不可能であると認識する。
【００８４】
また、前述のケースＡの充電処理において、制御部１６が前述のＳ３３，Ｓ３４を行わずに、制御部１５ａがＳ２１から所定の子機初期充電時間の経過後に筐体間有線通信を行い、前述のＳ４１により筐体間有線通信が通信正常状態であるか否かを判定しても良い。この子機初期充電時間は例えば、前述のＳ２３からＳ３５までの時間と同様、数秒〜数十秒である。
【００８５】
また、親機優先モードと子機優先モードのいずれかを示す優先モードが予め設定され、その優先モードを示す値が記憶部１７ａに格納されても良い。この場合制御部１５ａは、前述のケースＡの充電処理におけるＳ４２〜Ｓ４４の代わりに、優先モードを示す値を記憶部１７から読み出し、その値が子機優先モードを示すか否かを判定する。次に制御部１５ａは、その値が子機優先モードを示すと判定された場合、子機優先モードの処理を行い（Ｓ６１）、その値が子機優先モードを示さないと判定された場合、制御部１５ａは親機優先モードの処理を行う（Ｓ５１）。
【００８６】
なお、本発明の通信装置は例えば、携帯電話機、ノートＰＣ（personal computer）やタブレットＰＣなどのコンピュータ、ＰＤＡ（personal digital assistant）、電子ブック、メディアプレーヤ、無線ＬＡＮ端末に適用することができる。
【００８７】
また、入力検出部３３は例えば、キーボード、キーパッド、マウス、トラックボール、タッチパネル、タブレット、マイク、ヘッドセット、カメラを有しても良い。子機１２が公衆無線通信の機能を有する携帯電話機であっても良い。
【００８８】
また、公衆無線通信部３１の代わりに、無線通信のアクセスポイントに接続することができる無線通信部や、ＬＡＮ（local area network）等のネットワークに接続して有線通信を行うことができるネットワークインターフェイスや、電話回線に接続して有線通信を行うことができるモデム等が設けられても良い。
【００８９】
以上の実施形態１〜２に関し、更に以下の付記を開示する。
（付記１）
入力を検出する入力装置であり第１二次電池を有する前記入力装置に、接続されることができる通信装置であって、
前記通信装置に前記入力装置が接続される場合に前記第１二次電池に接続される接続部と、
前記入力装置との第１通信を行う第１通信部と、
前記第１通信により受信される情報に基づいて外部装置との第２通信を行う第２通信部と、
前記第２通信のための電力を供給する第２二次電池と、
前記第１二次電池又は前記第２二次電池へ電力を供給することができる電源に接続されることができる電源接続部と、
前記第２二次電池及び前記接続部のいずれかを前記電源接続部に接続することができるスイッチと、
前記通信装置に前記入力装置が接続され且つ前記電源接続部に前記電源が接続された場合、前記第１通信に基づいて前記入力装置の所定動作が可能であるか否かを判定し、前記判定の結果に基づいて前記スイッチを制御する制御部と、
を備える通信装置。
（付記２）
前記所定動作が不可能であると判定された場合、前記制御部は、前記スイッチによって前記電源接続部と前記接続部を接続させることにより前記電源による前記第１二次電池の充電を行う
付記１に記載の通信装置。
（付記３）
更に、
前記第２二次電池の充電レベルを測定する充電レベル測定部を備え、
前記所定動作が可能であると判定された場合、前記制御部は、ユーザからの入力が所定の入力条件を満たすか否かの判定を行い、前記ユーザからの入力が前記入力条件を満たすと判定された場合、前記スイッチによって前記電源接続部と前記第１二次電池を接続させることにより前記第１二次電池の充電を行い、前記ユーザからの入力が前記入力条件を満たさない場合、前記スイッチによって前記電源接続部と前記第２二次電池を接続させることにより前記電源による前記第２二次電池の充電を行う
付記２に記載の通信装置。
（付記４）
更に、
前記制御部からの情報を表示する表示部を備え、
前記所定動作が可能であると判定された場合、前記制御部は、前記ユーザからの入力を促す入力画面を前記表示部に表示させ、
前記入力条件は、前記入力画面の表示から所定時間内に前記ユーザからの入力が検出され且つ前記ユーザからの入力が前記第１二次電池を示すことである
付記３に記載の通信装置。
（付記５）
前記ユーザからの入力が前記入力条件を満たすと判定された後、前記制御部は、前記第２二次電池の充電レベルが第１しきい値より高いか否かの判定を行い、前記第２二次電池の充電レベルが前記第１しきい値より高いと判定された場合、前記スイッチにより前記電源接続部と前記第２二次電池を切断させることにより前記第２二次電池の充電を停止し、前記スイッチにより前記電源接続部と前記接続部を接続させることにより前記第１二次電池の充電を行う
付記３又は付記４に記載の通信装置。
（付記６）
前記ユーザからの入力が前記入力条件を満たさないと判定された後、前記制御部は、第２しきい値を用いて前記第１二次電池の充電レベルが前記第２しきい値より高いか否かの判定を行い、前記第１二次電池の充電レベルが前記第２しきい値より高いと判定された場合、前記スイッチにより前記電源接続部と前記接続部を切断させることにより前記第１二次電池の充電を停止し、前記スイッチによって前記電源接続部と前記第２二次電池を接続させることにより前記電源による前記第２二次電池の充電を行う
付記３又は付記４に記載の通信装置。
（付記７）
前記制御部は、前記通信装置に前記入力装置が接続され且つ前記電源接続部に前記電源が接続された場合、前記スイッチによって前記電源接続部と前記第２二次電池を接続させることにより前記電源による前記第２二次電池の充電を行い、前記第２二次電池の充電レベルが前記第１しきい値より低い第３しきい値より高いか否かの判定を行い、前記第２二次電池の充電レベルが前記第３しきい値より高いと判定された場合、前記スイッチにより前記電源接続部と前記第２二次電池を切断させることにより前記第２二次電池の充電を停止する、
付記３乃至付記６のいずれかに記載の通信装置。
（付記８）
前記所定動作が不可能であると判定された場合、前記入力装置は、前記第１二次電池の充電レベルが前記第２しきい値より低い第４しきい値より高いか否かの判定を行い、前記第１二次電池の充電レベルが前記第４しきい値より高いと判定された場合、前記第１通信を行い、
前記制御部は、前記第１通信が正常であるか否かを判定し、前記第１通信が異常であると判定された場合、前記所定動作が可能であると判定する
付記１乃至付記７のいずれかに記載の通信装置。
（付記９）
前記第１通信は有線通信であり、
前記通信装置に前記入力装置が接続された場合、前記第１通信部は前記第１通信を行い、
前記制御部は、前記第１通信が正常であるか否かを判定し、前記第１通信が異常であると判定された場合、前記所定動作が不可能であると判定する
付記１乃至付記８のいずれかに記載の通信装置。
（付記１０）
互いに接続されることができる第１筐体と第２筐体を有する通信装置であって、
前記第１筐体が、
前記第１筐体と前記第２筐体が接続される場合に前記第２筐体に接続される第１接続部と、
入力を検出する検出部と、
前記第２筐体との第１通信を行うことにより、前記検出された入力を前記第２筐体へ送信する筐体間通信部と、
前記第１通信のための電力を供給する第１二次電池と
を備え、
前記第２筐体が、
前記第１筐体と第２筐体が接続される場合に前記第１接続部を介して前記第１二次電池に接続される第２接続部と、
前記第１筐体との前記第１通信を行う第１通信部と、
前記第１通信により受信される情報に基づいて外部装置との第２通信を行う第２通信部と、
前記第２通信のための電力を供給する第２二次電池と、
前記第１二次電池又は前記第２二次電池を充電するための電源に接続されることができる電源接続部と、
前記第２二次電池及び前記第２接続部のいずれかを前記電源接続部に接続することができるスイッチと、
前記第１筐体と第２筐体が接続され且つ前記電源接続部に前記電源が接続された場合、前記第１通信に基づいて前記第１通信に基づいて前記第１筐体の所定動作が可能であるか否かを判定し、前記判定の結果に基づいて前記スイッチを制御する制御部と
を備える通信装置。
【符号の説明】
【００９０】
１ａ  分離型携帯電話機
１１ａ  親機
１２  子機
１５ａ，１６  制御部
１７ａ，１８  記憶部
２３ｘ，２３ｙ  有線通信部
２４ｘ，２４ｙ  近距離無線通信部
３１  公衆無線通信部
３２  表示部
４１ｘ，４１ｙ  二次電池
４２ｘ，４２ｙ  充放電制御部
５１ｘ  切り替えスイッチ
５２ｘ，５３ｘ  開閉スイッチ
６１  電源接続部
６２ｘ，６２ｙ  接続部
６３ｘ，６３ｙ  電源端子
６４ｘ，６４ｙ  有線通信端子
６５ｘ，６５ｙ  接合検出端子
７１ｘ，７１ｙ  音声入出力部
【図１】
2011216960.tif 000003
【図２】
2011216960.tif 000004
【図３】
2011216960.tif 000005
【図４】
2011216960.tif 000006
【図５】
2011216960.tif 000007
【図６】
2011216960.tif 000008
【図７】
2011216960.tif 000009
【図８】
2011216960.tif 000010
【図９】
2011216960.tif 000011